(57)【要約】本発明は髪の手入れ作業を容易に行える美容室用ヘアクリップを提供することを課題とする。本発明に係る美容室用ヘアクリップは、上部クリップ１０と、フィンガー部材２０と、加圧部材３０と、可変バネ４０と、下部クリップ５０と、から構成される。これにより、上部クリップから弾力性を持ちながら回転運動自在に設けられて加圧部材を下部クリップ側に保持するフィンバー部材と共に、上部クリップとフィンガー部材に連結設置された軟質の加圧部材で下部クリップの上部に位置した髪を安定的にホールドして押える効果を奏する。【選択図】図２
2010507442.tif 000002
【特許請求の範囲】
【請求項１】
美容室用ヘアクリップ１において、
全般的に湾曲状の第１屈曲部１１の両側にヒンジ孔１１ａが形成され、その長手方向にバネ保持孔１１Ｂが形成され、前記第１屈曲部１１と対応する反対方向角度に押さえ片１２が形成され、押さえ片１２の一方底面から凹む一方、上部には突出される突出爪１２ａが形成され、両側に係合孔１３ａを有するブラケット１３が形成された上部クリップ１０と、
一方に前記上部クリップ１０のヒンジ孔１１ａの両側に嵌め込まれて回転運動自在な固定軸２１が対応して形成され、両側面に支持孔２２が形成されたフィンガー部材２０と、
帯状であって、前記フィンガー部材２０の支持孔２２に両端が係止されるための支持突起軸３１が一端に形成され、他端には前記上部クリップ１０の突出爪１２ａの底面を保持するための保持爪３２が形成され、長手方向の底面に髪をホールドするための保持片３３が多数個形成された加圧部材３０と、
前記上部クリップ１０のバネ保持孔１１ｂに両端が設けられ、一方は前記フィンガー部材２０の底面上に密着支持されて選択した毛量によってフィンガー部材２０の回転運動を支持する可変バネ４０と、
前記上部クリップ１０と対応するように加圧部材３０に対して湾曲状の第２屈曲部５１が形成され、前記第２屈曲部５１の一方には前記上部クリップ１０のブラケット１３に対して回転運動を自在にするトーションバネ(Ｓ)が設けられると共にリベット(Ｒ)が貫通して結合するように係合孔５２ａを有するブラケット５２が形成され、前記上部クリップ１０の押さえ片１２と対応する受け片５３が一端から形成された下部クリップ５０と、から構成されることを特徴とする美容室用ヘアクリップ。
【請求項２】
前記加圧部材３０は軟質の合成樹脂材で形成される一方、その長手方向に形成された等間隔の保持片３３は屈曲状に形成され、長手方向に底面に半球形の突起３４が多数個突出して形成されることを特徴とする請求項１に記載の美容室用ヘアクリップ。 
【請求項３】
前記上部クリップ１０のバネ保持孔１１ｂは偏差をもって形成され、前記バネ保持孔１１ｂの位置形成によって前記可変バネ４０はＵ字形に形成され、その端部の長さはそれぞれ異なる長さで形成されて保持されるようにすることを特徴とする請求項１に記載の美容室用ヘアクリップ。
【請求項４】
前記加圧部材３０の先端にフィンガー部２０'が一体に形成されたことを特徴とする請求項１に記載の美容室用ヘアクリップ。
【請求項５】
美容室用ヘアクリップ１において、
全般的に湾曲状の第１屈曲部１１の両側にヒンジ孔１１ａが形成され、その長手方向にバネ保持孔１１ｂが形成され、前記第１屈曲部１１と対応する反対方向角度に押さえ片１２が形成され、押さえ片１２の一方に挿入支持孔１２ｂが形成され、両側に係合孔１３ａを有するブラケット１３が形成された上部クリップ１０と、
一方に前記上部クリップ１０のヒンジ孔１１ａの両側に嵌め込まれて回転運動自在な固定軸２１が対応するように形成され、長手方向に係止爪２３が設けられたフィンガー部材２０と、
帯状であって、一端側から前記フィンガー部材２０の先端に挿入されて係止爪２３に係止するための係合孔３５が形成され、他端には前記上部クリップ１０の挿入支持孔１２ｂに貫通して保持されるための支持突起軸３６が形成され、長手方向の底面に髪をホールドするための保持片３３が多数個形成された加圧部材３０と、
前記上部クリップ１０のバネ保持孔１１ｂに両端が設けられ、一方は前記フィンガー部材２０の底面上に密着支持されて選んだ毛量によってフィンガー部材２０の回転運動を支持する可変バネ４０と、
前記上部クリップ１０と対応するように加圧部材３０に対して所定の湾曲状の第２屈曲部５１が形成され、前記第２屈曲部５１の一方には前記上部クリップ１０のブラケット１３に対して回転運動を自在にするトーションバネ(Ｓ)が設けられると共にリベット(Ｒ)が貫通して結合されるように係合孔５２ａを有するブラケット５２が形成され、前記上部クリップ１０の押さえ片１２と対応する受け片５３が一端から形成された下部クリップ５０と、から構成されることを特徴とする美容室用ヘアクリップ。
【請求項６】
前記上部クリップ１０にフィンガー部２０’が一体に形成される一方、上部クリップ１０の第１屈曲部１１からフィンガー部２０’の回転運動のために中間地点の断面厚さが小さい弧状の折曲部１４が一体に形成されることを特徴とする請求項５に記載の美容室用ヘアクリップ。
【請求項７】
前記第１屈曲部１１の先端にガイド突起１６ａが一面から突出して形成された曲面部１６が設けられ、前記曲面部１６を受け入れるためにフィンガー部材２０の一端から挿入孔２４が形成される一方、一面に前記ガイド突起１６ａをガイドするための弧状の長孔２５が形成され、前記フィンガー部材２０の挿入孔２４には加圧部材の底面から選んだ毛量によってフィンガー部材２０を上部クリップ１０の曲面部１６からずれ動く長さを弾力調整するための圧縮コイルバネ(Ｓ１)が設けられて構成されることを特徴とする請求項５に記載の美容室用ヘアクリップ。
【請求項８】
前記第１屈曲部１１の先端両側に連結孔１７ａが形成された係合片１７が対応して形成され、前記フィンガー部材２０の一端は前記係合片１７と一致するように両側に連結孔２６ａを有する係合片２６が対応するように形成され、前記係合片１７、２６から連結孔１７ａ、２６ａを通じて雌雄のリベット(Ｒ１)が設けられる一方、前記リベット(Ｒ１)上には上部クリップ１０からフィンガー部材２０の回転運動を支持するトーションバネ(Ｓ２)が設けられて構成されることを特徴とする請求項５に記載の美容室用ヘアクリップ。
【請求項９】
前記下部クリップ５０の受け片５３の一面に固定ピン５３ａが一体に形成され、前記固定ピン５３ａから引張バネ(Ｓ３)の一端が連結される構造であって、その他端は加圧部材３０の後端に連結されて加圧部材３０を支持することを特徴とする請求項５に記載の美容室用ヘアクリップ。
【請求項１０】
前記下部クリップ５０の受け片５３の一面にトーションバネ(Ｓ４)を固定するための固定軸５３ｃの形成と共に、トーションバネ(Ｓ３)の一端を保持するための固定ピン５３ａが形成され、加圧部材３０の後端の一面に前記トーションバネ(Ｓ４)の他端を保持するための固定凸部３７が一体に形成されて加圧部材３０を支持することを特徴とする請求項５に記載の美容室用ヘアクリップ。
【発明の詳細な説明】
【技術分野】
【０００１】
本発明は美容室用ヘアクリップに係り、さらに詳しくは美容室でヘアスタイルのアレンジの際臨時に使用するヘアクリップのクランピング構造を改善して、選んだ髪をさらに安定的にホールドしてヘアクリップから髪がはみ出し易くなることを防止して髪の手入れ作業を容易に行えるようにするヘアクリップに関する。
【背景技術】
【０００２】
一般に、家庭や美容室における髪のカット、染色などのような髪の手入れを行うに当たって、選んだ髪が取れるようにクリップが長く形成されたヘアクリップが使われる。
前記ヘアクリップ１００は上部クリップと下部クリップとに分かれ、これらの全ては頭部の曲線に鑑みて、添付した図１のように上部クリップ１１０は湾曲形の屈曲部１１１を有する受け片１１２の形成と共に、屈曲部１１１と受け片１１２との境界地点から形成されたブラケット１１３が一体に形成された構造である。
前記下部クリップ２１０は上部クリップ１１０に対応する形状に屈曲部２１１の形成と共に受け片２１２が形成され、前記屈曲部２１１と受け片２１２の境界地点からは前記ブラケット１１３と対応するブラケット２１３が一体に形成された構造である。
前記各ブラケット１１３、２１３を通じた係合孔を通じてはリベット(Ｒ)が貫通して設けられ、リベット(Ｒ)の軸上には上部クリップ１１０と下部クリップ２１０を通常のニッパタイプのように弾性を与えるためのトーションバネ(Ｓ)が設けられる。
一方、前記上部クリップ１１０の屈曲部１１１に対して下部クリップ２１０の屈曲部２１１は受け片２１２側に向かいほど各々のブラケット１１３、２１３の形成と設置によって間隔を広まる形態である(図面において"Ａ"参照)。
前述したように構成された通常のヘアクリップ１００は、屈曲部１１１、１２１が長く形成されていることから、頭部から髪を選んでホールドするにあたって次のような問題点があった。
上部クリップと下部クリップの屈曲部の長さにおいて、接し方の良好な屈曲部の先端側は髪の選択が容易になる一方、その後方に行くほど前記ブラケットの形成によって髪を取り上げる力が弱い。
このため、選択した髪の一部ははみ出しやすいことから髪が乱れ易くなってしまう。結局、髪のカットや染色する過程において作業者に不便を与えることに繋がる短所があり、これを防止するためには別のヘアクリップを使用することがやむを得ない問題点があった。
【発明の概要】
【発明が解決しようとする課題】
【０００３】
本発明は前述したような諸般問題点を解消するために案出されたもので、その目的は美容室におけるヘアスタイルのアレンジの際臨時に使うヘアクリップのホールド構造を改善して、選んだ髪を一層安定的にホールドしてヘアクリップから髪がはみ出し易くなることを防止して、髪の手入れ作業が容易に行えるヘアクリップを提供するところにある。
【課題を解決するための手段】
【０００４】
前述した目的を達成するための本発明によれば、美容室用ヘアクリップにおいて、全般的に湾曲状の第１屈曲部の両側にヒンジ孔が形成され、その長手方向にバネ保持孔が形成され、前記第１屈曲部と対応する反対方向角度に押さえ片が形成され、押さえ片の一方底面から凹設される一方、上部には突出される突出爪が形成され、両側に係合孔を有するブラケットが形成された上部クリップと、一方に前記上部クリップのヒンジ孔の両側に嵌め込まれて回転運動自在な固定軸が対応して形成され、両側面に支持孔が形成されたフィンガー部材と、帯状であって、前記フィンガー部材の支持孔に両端が係止されるための支持突起軸が一端に形成され、他端には前記上部クリップの突出爪の底面を保持するための保持爪が形成され、長手方向の底面に髪をホールドするための保持片が多数個形成された加圧部材と、前記上部クリップのバネ保持孔に両端が設けられ、一方は前記フィンガー部材の底面上に密着支持されて選んだ毛量によってフィンガー部材の回転運動を支持する可変バネと、前記上部クリップと対応するように加圧部材に対して湾曲状の第２屈曲部が形成され、前記第２屈曲部の一方には前記上部クリップのブラケットに対して回転運動を自在にするトーションバネの設けられると共にリベットが貫通して結合されるように係合孔を有するブラケットが形成され、前記上部クリップの押さえ片と対応する受け片が一端から形成された下部クリップと、から構成されることを特徴とする。 
また、本発明は、美容室用ヘアクリップにおいて、全般的に湾曲状の第１屈曲部の両側にヒンジ孔が形成され、その長手方向にバネ保持孔が形成され、前記第１屈曲部と対応する反対方向角度に押さえ片が形成され、押さえ片の一方に挿入支持孔が形成され、両側に係合孔を有するブラケットが形成された上部クリップと、一方に前記上部クリップのヒンジ孔の両側に嵌め込まれて回転運動自在な固定軸が対応して形成され、長手方向に係止爪が凹設されたフィンガー部材と、帯状であって、一端側から前記フィンガー部材の先端に挿入されて係止爪に係止されるための係合孔が形成され、他端には前記上部クリップの挿入支持孔に貫通して保持するための支持突起軸が形成され、長手方向の底面に髪をホールドするための保持片が多数個形成された加圧部材と、前記上部クリップのバネ保持孔に両端が設けられ、一方は前記フィンガー部材の底面上に密着支持されて選んだ毛量によってフィンガー部材の回転運動を支持する可変バネと、前記上部クリップと対応するように加圧部材に対して所定の湾曲状の第２屈曲部が形成され、前記第２屈曲部の一方には前記上部クリップのブラケットに対して回転運動を自在にするためのトーションバネが設けられると共にリベットが貫通して結合するように係合孔を有するブラケットが形成され、前記上部クリップの押さえ片と対応する受け片が一端から形成された下部クリップと、から構成されることを特徴とする。
【発明の効果】
【０００５】
以上述べたように、本発明に係るヘアクリップを用いて手入れしようとする髪をとって形態をホールドするにあたって、上部クリップから弾力性を持ちながら回転運動を自在にするように設けられて加圧部材を下部クリップ側に保持するフィンガー部材と共に上部クリップとフィンガー部材に連結設置された軟質の加圧部材で、下部クリップの上部に位置した髪を安定的にホールドして押える効果を奏し、髪の手入れ作業中に髪がヘアクリップから離脱することを防止することができる。
また、前記加圧部材にフィンガー部を一体形に形成させることによって、ヘアクリップの作製にかかる費用を節減する効果も奏する。
また、加圧部材の後端に引張りバネまたはトーションバネを下部クリップの受け片側から弾設することによって、髪を押えてホールドする加圧部材に弾性を与えて一層安定した髪のホールドをもって髪の手入れ作業を容易に行うことができる。
【図面の簡単な説明】
【０００６】
【図１】従来の技術に係るヘアクリップを示した斜視図である。
【図２】本発明のヘアクリップを示した分離斜視図である。
【図３】本発明に係るヘアクリップの加圧部材を示した底面斜視図である。
【図４】本発明に係るヘアクリップが組み立てられた状態を示した縦断面図である。
【図５】本発明に係るヘアクリップを広げた状態を示した縦断面図である。
【図６】本発明に係るヘアクリップを通じて髪をホールドした状態を示した縦断面図である。
【図７】本発明に係るヘアクリップの加圧部材にフィンガー部を一体に形成した状態の一例を示した斜視図である。
【図８】本発明に係る一実施例のヘアクリップを分離して示した斜視図である。
【図９】図８におけるヘアクリップを示した斜視図である。
【図１０】図８におけるヘアクリップを示した縦断面図である。
【図１１】図８におけるヘアクリップを通じて髪をホールドした状態を示した縦断面図である。
【図１２】図１１におけるＡ-Ａ線断面図である。
【図１３】本発明に係るヘアクリップの上部クリップにフィンガー部を一体に成形した状態を示した斜視図である。
【図１４】本発明に係るヘアクリップの上部クリップとフィンガー部材との連結構造を一例として示した斜視図である。
【図１５】本発明に係るヘアクリップの上部クリップとフィンガー部材との連結構造を一例として示した斜視図である。
【図１６】本発明に係るヘアクリップの上部クリップとフィンガー部材との連結構造を一例として示した斜視図である。
【図１７】本発明に係るヘアクリップの上部クリップとフィンガー部材との連結構造を一例として示した斜視図である。
【図１８】本発明に係るヘアクリップの加圧部材を下部クリップに弾設した状態を示した一部斜視図である。
【図１９】本発明に係るヘアクリップの加圧部材を下部クリップに弾設した状態を示した一部斜視図である。
【発明を実施するための形態】
【０００７】
以下、添付した図２ないし図１９に基づき本発明の好適な実施の形態について詳細に説明する。
図２は本発明に係るヘアクリップを示した分離斜視図であり、図３は本発明に係るヘアクリップの加圧部材を示した底面斜視図であり、図４は本発明に係るヘアクリップが組み立てられた状態を示した縦断面図である。
本発明に係る美容室用ヘアクリップ１は、上部クリップ１０、上部クリップから一方が回転運動自在なフィンガー部材２０、上部クリップ１０とフィンガー部材２０とを相互連結する加圧部材３０、可変バネ４０及び下部クリップ５０とから構成される。
前記上部クリップ１０は全般的に湾曲状の第１屈曲部１１の両側にヒンジ孔１１ａが形成され、その長手方向にバネ保持孔１１ｂが形成され、前記第１屈曲部１１と対応する反対方向角度に押さえ片１２が形成され、押さえ片１２の一方の底面から設けられる一方、上部へは突出される突出爪１２ａが形成され、両側に係合孔１３ａを有するブラケット１３が形成される。
前記フィンガー部材２０は上部クリップ１０のヒンジ孔１１ａの両側に嵌め込まれて回転運動自在な固定軸２１が対応して形成され、両側面に支持孔２２が形成される。
前記加圧部材３０は軟質の合成樹脂材で成形される帯状であって、前記フィンガー部材２０の支持孔２２に両端が係止されるための支持突起軸３１が一端に形成され、他端には前記上部クリップ１０の突出爪１２ａの底面にガイドされ保持されるための保持爪３２が形成され、長手方向の底面に髪をホールドするための保持片３３が多数個形成される。
また、加圧部材３０はその長手方向に形成された保持片３３の側面が屈曲した形状に形成され、全般的に底面上には髪を安定的にホールドするための半球形の突起３４が多数個突出して形成される。
一方、前記可変バネ４０はＵ字形に形成され、その端部の長さは各々異なる長さで形成されたもので、前記上部クリップ１０のバネ保持孔１１ｂに両端が設けられ、一方は前記フィンガー部材２０の底面上に密着支持されて選んだ毛量によってフィンガー部材２０の回転運動を支持できるようにする。
前記可変バネ４０に対して前記上部クリップ１０のバネ保持孔１１ｂは偏差をもって形成される。
前記上部クリップ１０と対応する下部クリップ５０は前記加圧部材３０に対して湾曲形の第２屈曲部５１が形成され、前記第２屈曲部５１の一方には前記上部クリップ１０のブラケット１３に対して回転運動自在にトーションバネ(Ｓ)が設けられると共にリベット(Ｒ)が貫通して結合されるように係合孔５２ａを有するブラケット５２が形成され、前記上部クリップ１０の押さえ片１２と対応する受け片５３が一端から形成される。
このように構成されたヘアクリップにおいて、本発明に係る一実施形態は添付した図７に示した通りである。
ここで、ヘアクリップ１は前記加圧部材３０の先端側にフィンガー部２０'を一体に形成することもできる。
一方、本発明に係る他のヘアクリップは図８ないし図１０において示した通りである。
図８は本発明に係る一実施形態のヘアクリップを分離して示した斜視図であり、図９は図８におけるヘアクリップが組み立てられた状態を示した斜視図であり、図１０は図８におけるヘアクリップを広げた状態を示した縦断面図である。
ヘアクリップ１において、上部クリップは全般的に湾曲状の第１屈曲部１１の両側にヒンジ孔１１ａが形成され、その長手方向にバネ保持孔１１ｂが形成され、前記第１屈曲部１１と対応する反対方向角度に押さえ片１２が形成され、押さえ片１２の一方に挿入支持孔１２ｂが形成され、両側に係合孔１３ａを有するブラケット１３が形成される。
前記上部クリップ１０の一方に連結設置されるフィンガー部材２０は一方に前記上部クリップ１０のヒンジ孔１１ａの両側に嵌め込まれて回転運動自在な固定軸２１が対応するように形成され、長手方向に係止爪２３が設けられる。 
加圧部材３０は帯状であって、一端側から前記フィンガー部材２０の先端に挿入されて係止爪２３に係止されるための係合孔３５が形成され、他端には前記上部クリップ１０の挿入支持孔１２ｂに貫通して保持するための支持突起軸３６が形成され、長手方向の底面に髪をホールドするための保持片３３が多数個形成される。
また、前記上部クリップ１０とフィンガー部材２０からは可変バネ４０が設けられ、この可変バネ４０は前述したようにバネ保持孔１１ｂに両端が設けられ、一方はフィンガー部材２０の底面上に密着支持される。
前記上部クリップ１０に対応する下部クリップ５０は加圧部材３０に対して所定の湾曲状の第２屈曲部５１が形成され、前記第２屈曲部５１の一方には前記上部クリップ１０のブラケット１３に対して回転運動自在なトーションバネ(Ｓ)が設けられると共にリベット(Ｒ)が貫通して結合されるように係合孔５２ａを有するブラケット５２が形成され、前記上部クリップ１０の押さえ片１２と対応する受け片５３が一端から形成される。 
前述したように他の一例のヘアクリップ１は、前記上部クリップ１０にフィンガー部２０’が一体に形成される一方、上部クリップ１０の第１屈曲部１１からフィンガー部２０'の回転運動のために中間地点の端面厚さが小さい弧状の折曲部１４が一体に形成される構造でも設置可能である。
または前記ヘアクリップ１において、上部クリップとフィンガー部材２０との連結は次の通りの実施形態でヘアクリップを構成することができる。
前記第１屈曲部１１の先端にガイド突起１６ａが一面から突出して形成された曲面部１６が設けられ、前記曲面部１６を受け入れるためにフィンガー部材２０の一端から挿入孔２４が形成される一方、一面に前記ガイド突起１６ａを案内するための弧状の長孔２５が形成され、前記フィンガー部材２０の挿入孔２４には加圧部材の底面から選んだ毛量によってフィンガー部材２０を上部クリップ１０の曲面部１６からずれ動く長さを弾力調整するための圧縮コイルバネ(Ｓ１)が設けられ構成される。
前記第１屈曲部１１の先端両側に連結孔１７ａが形成された係合片１７が対応して形成され、前記フィンガー部材２０の一端は前記係合片１７と一致するように両側に連結孔２６ａを有する係合片２６が対応して形成され、前記係合片１７、２６から連結孔１７ａ、２６ａを通じて雌雄のリベット(Ｒ１)が設けられる一方、前記リベット(Ｒ１)上には上部クリップ１０からフィンガー部材２０の回転運動を支持するトーションバネ(Ｓ２)が設けられて構成される。
一方、本発明に係る加圧部材３０は下部クリップ５０の受け片５３側から次のように設けられうる。
ここで、加圧部材３０の一方はフィンガー部材２０の係止爪２３に支持される形態で、その後端が下部クリップ側に支持されるようにする例を示す。
前記ヘアクリップ１において、前記下部クリップ５０の受け片５３の一面に固定ピン５３ａが一体に形成され、前記固定ピン５３ａから引張りバネ(Ｓ３)の一端が連結される構造であって、その他端は加圧部材３０の後端に連結されて加圧部材３０を支持されるようにする。
または前記下部クリップ５０の受け片５３の一面にトーションバネ(Ｓ４)を固定するための固定軸５３ｃの形成と共に、トーションバネ(Ｓ３)の一端を保持するための固定ピン５３ａが形成され、加圧部材３０の後端の一面に前記トーションバネ(Ｓ４)の他端を保持するための固定凸部３７が一体に形成され加圧部材３０を支持する。
このように構成された本発明に係る美容室用ヘアクリップを使用することによる作用及びその効果を説明すれば次の通りである。
まず、一つ以上用意されたヘアクリップ１を用いて髪を止めるすることによって、色々のヘアスタイルのアレンジが可能である。
通常、上部クリップ１０の押さえ片１２と下部クリップ５０の受け片５３を指で押えると、下部クリップ５０のブラケット５２から上部クリップ１０のブラケット１３側のリベット(Ｒ)を中心軸に広がる。
この際、リベット(Ｒ)の軸上に設けられたトーションバネ(Ｓ)の捩れによって上部クリップ１０と下部クリップ５０を広げた状態で下部クリップ５０部分を頭部の曲線に沿って髪の間に挟んで髪を選択する。
選ばれる毛量はヘアクリップ１が有する上部クリップ１０と下部クリップ５０の第１屈曲部１１と第２屈曲部５１との間で決定される。
再び押さえ片１２と受け片５３から指を離すと、トーションバネ(Ｓ)の復元力によって下部クリップ５０の第２屈曲部５１に対する上部クリップ１０の第１屈曲部１１が折られ、その間に設けられた帯状の加圧部材３０、可変バネ４０、フィンガー部材２０によって選ばれた髪を安定的にホールドしてくれる。
前記加圧部材３０は軟質の合成樹脂を成形して作製されたもので、フレキシブルな形態であり、図６に示したように、選ばれた髪を上部から柔らかく包む形態で髪を押えて保持するようになる。
この際の選択された毛量によって前記加圧部材３０は曲線形に髪を押える形態になる。ここで、 前記加圧部材３０の他端側部である保持爪３２は上部クリップ１０の突出爪１２ａの底面から保持されている状態である。
前記加圧部材３０を用いた髪の押えは前記加圧部材３０が弧状になりつつ、フィンガー部材２０の支持孔２２から連結された加圧部材３０の支持突起軸３１は上部クリップ１０のヒンジ孔１１ａからフィンガー部材２０の固定軸２１部分が回転運動しつつ加圧部材を押える役割を果たす。
一方、本発明に係る一例として、添付した図７に示したように、前記加圧部材３０にフィンガー部２０'を一体形に成形して上部クリップ１０に連結設置することによって、前述したことと同じく髪を選んでホールドすることもできる。
すなわち、前述したように選んだ髪を加圧部材３０で安定的にホールドする役割において、フィンガー部材２０は指の節を曲げる形態のように動作され、髪を選んだ加圧部材３０を一層押えてホールドする役割を担って、ヘアクリップ１から髪の離脱を防止できるようになる。
前述したようにフィンガー部材２０の曲がる動作は上部クリップ１０のバネ保持孔１１ｂに設けられた可変バネ４０に加圧力を与えた状態で加圧部材３０を保持するようになる。  前記可変バネ４０は示したようにＵ字形であって、その連結される端部がそれぞれ偏差があるもので、連結地点の偏差として一つの捩れバネのような形態であって、回転運動する部分に弾性を与えることができる。
一方、前記加圧部材の保持片３３は等間隔で屈曲した形態で選んだ髪を安定的にホールドする役割を果たす。
結局、加圧部材は上部クリップ１０と下部クリップ５０のブラケット１３、５２の設置によって間隔が広がる程度差を克服できる構成要素で、髪を安定的にホールドできるようにする。
従って、安定した髪の選択効果は髪の手入れをする作業者に便利さを提供する利点がある。
一方、本発明に係る一実施形態のヘアクリップ１は図８に示した通りである。
前記ヘアクリップ１の基本的な動作は前述したようなヘアクリップと同じであり、但し、上部クリップ１０及びフィンガー部材２０に対して加圧部材３０の連結された程度の相違点を有する。
前記加圧部材３０の前方に形成された係合孔３５をフィンガー部材２０の係止爪２３に挿着し、その反対側に形成された支持突起軸３６は上部クリップ１０に形成された挿入支持孔１２ｂの底面から上部に貫通させて支持突起軸３６の両端が係るようにして加圧部材３０の両端を設けた状態で前述したように動作しうる。
前述したように加圧部材を用いた髪のホールドは図１２の通りである。
前記加圧部材３０と下部クリップ５０との間に髪が位置した状態で加圧部材の保持片３３と半球形の突起３４をもって髪を押えてホールドした場合である。
一方、本発明に係る一実施形態のヘアクリップにおいて、図１３に示したように、上部クリップ１０に対してフィンガー部２０'を一体形に形成することによって加圧部材３０の保持を同じく具現することができる。
これは、上部クリップ１０の第１屈曲部１１から上部に弧状の折曲部１４の形成と共にフィンガー部２０'を形成したものである。
前記折曲部１４は中央断面厚さを薄く形成して、加圧部材３０の係合孔３５が連結されるフィンガー部２０'の曲がる動作が得られる。
前記フィンガー部２０'と上部クリップ１０を一体に成形することによって、部品成形による金型費用を節減し、組立関係を省略することのできる利点がある。
一方、本発明に係る実施形態として、添付した図１４及び図１５に示したように、上部クリップの第１屈曲部１１の先端に形成された曲面部１６に対してフィンガー部材２０を挿入して曲面部１６に沿ってずらすことによって、前述したようにフィンガー部材２０が上部クリップに対して曲がって髪を選んだ加圧部材３０を保持することができる。
前記曲面部１６に形成されたガイド突起１６ａはフィンガー部材２０の挿入孔２４に強圧的に案内されながら、その一方面に形成された弧状の長孔２５からガイドされる形態である。
前記曲面部１６に対するフィンガー部材２０の曲げ程度による復元力は前記挿入孔２４を通じて曲面部１６の先端を保持する圧縮コイルバネ(Ｓ１)によって支持されて加圧部材３０を保持できるようになる。
一方、本発明に係る実施例として、添付した図１６及び図１７に示したように、前記上部クリップ１０の第１屈曲部１１の先端の両側とフィンガー部材２０の係合片１７、２６から連結孔１７ａ、２６ａを通じて雌雄のリベット(Ｒ１)と前記リベット(Ｒ１)上にトーションバネ(Ｓ２)が設けられたヘアクリップ１を用いて前記フィンガー部材２０の曲がる動作を具現することができる。
前述したように上部クリップ１０に対して髪の選択によって自然に髪を押えながら弧状に変形する加圧部材３０の動作はフィンガー部材２０が回転運動したり、曲がったり、ずれ動いたりするタイプの全てにおいて可能である。
一方、本発明に係る一実施形態として、前述したように髪を選んでホールドする加圧部材３０にさらに弾性を与えて髪のホールドを一層安定的に取れるようにする。
これは、添付した図１８及び図１９に示したように、加圧部材の後端を支持することによって可能である。
図１８のように、加圧部材３０の後端からは引張バネ(Ｓ３)が連結され、その反対側は同方向に位置する下部クリップの受け片５３の内側面上に設けられた固定ピン５３ａに連結させることによって設けることが可能である。
または、添付した図１９に示したように、前記加圧部材３０の後端に設けられた固定凸部３７からトーションバネ(Ｓ４)の一端を連結する一方、下部クリップの受け片の内側面上に設けられた固定軸５３ｃと固定ピン５３ａにトーションバネ(Ｓ４)をかけて、前述したように加圧部材３０に弾力を与えることができる。
前述したような加圧部材３０の弾力は髪を選んで押える加圧部材の一方を引張バネ(Ｓ３)またはトーションバネ(Ｓ３)の弾力性を用いたホールドであって、髪に損傷を加えないほどの安定したホールドを具現することができる。
【産業上の利用可能性】
【０００８】
本発明はヘアクリップに適用可能であり、特に美容室におけるヘアスタイルのアレンジの際臨時に使うヘアクリップのクランピング構造を改善して、選んだ髪をさらに安定的にホールドしてヘアクリップから髪がはみ出し易くなることを防止して、髪の手入れ作業を容易にするヘアクリップに適用可能である。
【図１】
2010507442.tif 000003
【図２】
2010507442.tif 000004
【図３】
2010507442.tif 000005
【図４】
2010507442.tif 000006
【図５】
2010507442.tif 000007
【図６】
2010507442.tif 000008
【図７】
2010507442.tif 000009
【図８】
2010507442.tif 000010
【図９】
2010507442.tif 000011
【図１０】
2010507442.tif 000012
【図１１】
2010507442.tif 000013
【図１２】
2010507442.tif 000014
【図１３】
2010507442.tif 000015
【図１４】
2010507442.tif 000016
【図１５】
2010507442.tif 000017
【図１６】
2010507442.tif 000018
【図１７】
2010507442.tif 000019
【図１８】
2010507442.tif 000020
【図１９】
2010507442.tif 000021
【国際調査報告】
2010507442.tif 000022
2010507442.tif 000023